(57)【要約】【課題】電力制御装置に関し、燃料電池の優れた発電効率を損なうことなくエネルギー効率を改善する。【解決手段】電気機器４に接続された二次電池２と、電気機器４及び二次電池２の各々に対して接続された燃料電池３とを設ける。燃料電池３は、燃料供給を受けたまま発電を休止するアイドル状態と燃料供給を遮断されて発電を停止する停止状態との二つの非発電状態を有する。  また、燃料電池３の許容起動回数の残余値に相当する残存起動回数を推定する推定手段１１を設ける。  さらに、推定手段１１で推定された残存起動回数に基づき、二次電池２の非充電時における燃料電池３の状態を二つの非発電状態の何れか一方に制御する制御手段１６を設ける。【選択図】図２
2014071996.tif 000002
【特許請求の範囲】
【請求項１】
電気機器に接続された二次電池と、
燃料供給を受けたまま発電を休止するアイドル状態と燃料供給を遮断されて発電を停止する停止状態との二つの非発電状態を有し、前記電気機器及び前記二次電池の各々に対して接続された燃料電池と、
前記燃料電池の許容起動回数の残余値に相当する残存起動回数を推定する推定手段と、
前記推定手段で推定された前記残存起動回数に基づき、前記二次電池の非充電時における前記燃料電池の状態を前記二つの非発電状態の何れか一方に制御する制御手段と、
を備えたことを特徴とする、電力制御装置。
【請求項２】
前記電気機器による前記二次電池の電力量消費速度を推定する消費速度推定手段を備え、
前記制御手段が、前記残存起動回数と前記電力量消費速度とに基づき、前記非発電状態を制御する
ことを特徴とする、請求項１記載の電力制御装置。
【請求項３】
前記消費速度推定手段が、前記二次電池の充電時における前記燃料電池の発電量及び前記二次電池の充電量に基づいて前記電力量消費速度を算出し、
前記制御手段が、前記二次電池の充電完了時に前記燃料電池の状態を前記二つの非発電状態の何れか一方に制御する
ことを特徴とする、請求項２記載の電力制御装置。
【請求項４】
前記電力量消費速度に基づき、前記燃料電池の許容起動時間の残余値に相当する残存時間内で前記燃料電池を起動させうる回数の推定値としての推定起動回数を推定する起動回数推定手段を備え、
前記制御手段は、
前記推定起動回数が前記残存起動回数より大きい場合に、前記燃料電池の非発電状態をアイドル状態とし、
前記推定起動回数が前記残存起動回数以下である場合に、前記燃料電池の非発電状態を停止状態とする
ことを特徴とする、請求項２又は３記載の電力制御装置。
【請求項５】
前記制御手段が、前記二つの非発電状態の何れか一方の状態を前記二次電池の充電開始時まで継続させる
ことを特徴とする、請求項１〜４の何れか１項に記載の電力制御装置。
【発明の詳細な説明】
【技術分野】
【０００１】
本発明は、二次電池と燃料電池との充放電状態を制御する電力制御装置に関する。
【背景技術】
【０００２】
近年、二次電池を駆動源とした電気自動車やハイブリッド車両に対して、燃料電池による発電システムを適用することが検討されている。すなわち、二次電池の充電率（State of Charge，SOC）が低下したときに燃料電池で発電し、これを二次電池の充電や車両の駆動に用いて電力不足を補うものである。燃料電池を補助的な電力供給源として活用することで、二次電池のバッテリー容量を増加させることなく、少量の燃料で航続可能距離を延長することができる（例えば、特許文献１，２参照）。
【０００３】
ところで、燃料電池は負荷変動や起動・停止により電極電位が一時的に上昇し、担体や触媒に劣化が生じることが知られている。このような劣化は、燃料電池の性能を損なうだけでなく、車両の走行性能を低下させる原因となるため、更なる耐久性，信頼性の向上が望まれている。
【０００４】
このような課題に対し、燃料電池の運用方法を改善することで燃料電池の劣化を抑制することも検討されている。例えば特許文献１には、二次電池の充電率が下限値に達したときに燃料電池を駆動して二次電池を充電し、二次電池の充電率が上限値に達したときに燃料電池をアイドル運転とすることが記載されている。このように、燃料電池の頻繁な再運転（停止・起動）を抑制することで、システム効率の悪化が抑制できるとされている。
【先行技術文献】
【特許文献】
【０００５】
【特許文献１】特開2002-141073号公報
【特許文献２】特許第4686842号公報
【発明の概要】
【発明が解決しようとする課題】
【０００６】
しかしながら、燃料電池のアイドル運転時には、関連補機類などへの通電電力が消費される。そのため、燃料電池が非発電状態で待機している時間が長引くほど車両全体の電費が低下し、航続可能距離が短縮されることになる。一方、電費の改善を目的として燃料電池の起動・停止を頻繁に行った場合には、燃料電池の劣化の進行が加速する。
このように、従来の二次電池を備えた電力制御システムでは、燃料電池の劣化抑制とエネルギー消費率の改善とを両立させることが困難であるという課題がある。
【０００７】
本件の目的の一つは、上記のような課題に鑑み創案されたもので、燃料電池の優れた発電効率を損なうことなく、エネルギー効率を改善することができる電力制御装置を提供することである。
なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００８】
（１）ここで開示する電力制御装置は、電気機器に接続された二次電池と、燃料供給を受けたまま発電を休止するアイドル状態と燃料供給を遮断されて発電を停止する停止状態との二つの非発電状態を有し、前記電気機器及び前記二次電池の各々に対して接続された燃料電池とを備える。
また、前記燃料電池の許容起動回数の残余値に相当する残存起動回数を推定する推定手段と、前記推定手段で推定された前記残存起動回数に基づき、前記二次電池の非充電時における前記燃料電池の状態を前記二つの非発電状態の何れか一方に制御する制御手段とを備える。
【０００９】
ここでいう電気機器とは、電力で作動する機械，器械，器具のことを意味する。また、「許容起動回数の残余値」とは、燃料電池を使用しなくなるまでに起動させる回数（燃料電池を使用しなくなるまでに起動させたい回数，起動が許容される回数）を意味する。この「残余値」とは、必ずしも燃料電池が発電不能となるまでの回数を意味するのではなく、燃料電池に所望の発電能力が期待される状態でなくなるまでの回数を意味する。
【００１０】
例えば、所望の発電能力が新品時の80％の能力であれば、発電能力が新品時の80％以下に低下するまでの起動回数を現在から数えたときの回数が許容起動回数の残余値である。また、所望の発電能力が80％よりも低ければ、それに応じて残余値は増加する。このように、許容起動回数の残余値は、所望の発電能力に応じて任意に定義される。
かみ砕いていえば、許容起動回数の残余値とは、燃料電池を廃棄又は交換するまでにあと何回起動させる予定であるか、を表す回数である。
【００１１】
（２）また、前記電気機器による前記二次電池の電力量消費速度を推定する消費速度推定手段を備え、前記制御手段が、前記残存起動回数と前記電力量消費速度とに基づき、前記非発電状態を制御することが好ましい。
（３）また、前記消費速度推定手段が、前記二次電池の充電時における前記燃料電池の発電量及び前記二次電池の充電量に基づいて前記電力量消費速度を算出し、前記制御手段が、前記二次電池の充電完了時に前記燃料電池の状態を前記二つの非発電状態の何れか一方に制御することが好ましい。
【００１２】
（４）また、前記電力量消費速度に基づき、前記燃料電池の許容起動時間の残余値に相当する残存時間内で前記燃料電池を起動させうる回数の推定値としての推定起動回数を推定する起動回数推定手段を備えることが好ましい。
この場合、前記制御手段は、前記推定起動回数が前記残存起動回数より大きい場合に、前記燃料電池の非発電状態をアイドル状態とし、前記推定起動回数が前記残存起動回数以下である場合に、前記燃料電池の非発電状態を停止状態とすることが好ましい。
【００１３】
ここでいう「許容起動時間の残余値」とは、燃料電池を使用しなくなるまでに起動させる時間（起動させたい時間，起動が許容される時間）を意味する。この「残余値」も、上述の「許容起動回数の残余値」と同じように、燃料電池に所望の発電能力が期待される状態でなくなるまでの時間を意味する。
かみ砕いていえば、許容起動時間の残余値とは、燃料電池を廃棄又は交換するまでの時間があとどのくらい残っているのか、を表す時間である。
【００１４】
（５）また、前記制御手段が、前記二つの非発電状態の何れか一方の状態を前記二次電池の充電開始時まで継続させることが好ましい。
【発明の効果】
【００１５】
開示の電力制御装置によれば、残存起動回数の推定値に基づいて、燃料電池の状態が二つの非発電状態の何れか一方に制御されるため、エネルギー消費量を削減しつつ、燃料電池の劣化を抑制することができる。
【図面の簡単な説明】
【００１６】
【図１】一実施形態の電力制御装置が適用された車両の全体構成を示す側面図である。
【図２】本電力制御装置の全体構成を示す模式図及びブロック図である。
【図３】本電力制御装置の燃料電池の性能と起動回数との関係を例示するグラフである。
【図４】本電力制御装置による推定演算手法を説明するためのグラフであり、（ａ）は二次電池の充電率変化、（ｂ）は燃料電池の発電出力変化を示す。
【発明を実施するための形態】
【００１７】
図面を参照して、車両に適用された電力制御装置について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１８】
［１．装置構成］
本実施形態の電力制御装置１が適用された車両２０を図１に示す。この車両２０は、電動式のモーター４（電気機器）と、モーター４の走行用バッテリーとしての二次電池２及び燃料電池３とを搭載したハイブリッド燃料電池車両である。
【００１９】
二次電池２は、車両２０の回生発電電力や外部電源，燃料電池３から供給される電力で充電可能な蓄電装置であり、例えばリチウムイオン二次電池やリチウムイオンポリマー二次電池等である。二次電池２は、モーター４及び燃料電池３に対して接続される。二次電池２の電力は、モーター４や車載の各種電装品（電気機器）に供給される。
燃料電池３は、発電燃料としての水素と空気中の酸素との電気化学反応を利用して電力を取り出す発電装置であり、例えば固体高分子形燃料電池やリン酸形燃料電池等である。燃料電池３で発生する電力は、モーター４等の電気機器に供給されるほか、二次電池２の充電に使用される。燃料電池３の燃料（例えば、水素ガス，水素を含むガス等）は、燃料タンク５内に貯留される。
【００２０】
二次電池２と燃料電池３とを接続する電気回路上には、電圧変換用のコンバーター６（DC-DCコンバーター）が介装される。コンバーター６は、燃料電池３で生じる直流電力を昇圧して二次電池２，モーター４側へと供給する。また、二次電池２とモーター４とを接続する電気回路上にはインバーター７（DC-ACインバーター）が介装され、ここで直流電力と交流電力とが変換される。
【００２１】
車両２０の外表面には、外部充電時に充電ケーブル２２を接続するためのインレット２１（電力引き込み口）が設けられる。また、二次電池２とインレット２１とを接続する回路上には、車載充電器８が設けられる。車載充電器８は、車両２０の外部の家庭用電源や充電ステーション等から供給される交流電力を直流に変換する電力変換装置である。上記の二次電池２の充放電状態や燃料電池３，モーター４，車載充電器８の作動状態は、後述する電子制御装置１０で制御される。
【００２２】
［２．回路構成］
図２は、モーター４の駆動回路の模式図である。ここでは、モーター４及びインバーター７間の回路と車載充電器８及びインレット２１間の回路とが三相交流回路であって、その他が直流回路であるものを示す。
図２の直流回路は、二次電池２，コンバーター６，インバーター７及び車載充電器８のそれぞれが、制御回路９を介して相互に接続された構造を持つ。制御回路９は、それぞれの装置間で授受される電力の大きさや給電方向を統括的に管理するための回路であり、その動作は電子制御装置１０によって制御される。
【００２３】
燃料電池３は、二次電池２の充電率が下限充電率SOCMINまで低下すると発電を開始し、二次電池２を充電しながらモーター４を駆動する。また、二次電池２の充電率が上限充電率SOCMAXまで上昇すると、燃料電池３は発電を停止する。
燃料電池３が発電していない非発電状態での制御モードには、アイドルモードと停止モードとの二種類がある。
【００２４】
アイドルモードとは、燃料タンク５から燃料供給を受けたまま発電を休止した状態（アイドル状態）とするモードである。このアイドルモードでは、例えば燃料電池３に併設された関連補機類などが通電されており、燃料電池３の発電のみが休止した状態とされる。また、例えば燃料電池３の電極とコンバーター６との間の直流回路上に介装されたスイッチを切断することで、アイドルモードが実現される。
【００２５】
一方、停止モードとは、燃料電池３への燃料供給を遮断されて発電を停止した状態（停止状態）とするモードである。この停止モードでは、関連補機類などの電源も切断され、燃料電池３による発電機能が完全に停止した状態とされる。これらの二種類のモードは、二次電池２の充電中又は充電が完了した後に電子制御装置１０で制御される。
【００２６】
電子制御装置１０は、例えばマイクロプロセッサやROM，RAM等を集積したLSIデバイスや組み込み電子デバイスである。電子制御装置１０の信号入力側及び信号出力側として、二次電池２，燃料電池３，モーター４，コンバーター６，インバーター７，車載充電器８及び制御回路９が接続され、各装置の作動状態に関する情報が電子制御装置１０に伝達される。電子制御装置１０に入力される情報の具体例としては、二次電池２の充放電電圧情報及び充放電電流情報，電池温度の情報，電池冷却ファンの回転速度情報，燃料電池３の出力電圧情報及び出力電流情報，モーター４の要求出力情報，外部充電の有無に関する情報等である。電子制御装置１０は、これらの情報に基づいて各装置の作動状態を制御する。
【００２７】
［３．制御構成］
図２に示すように、電子制御装置１０には、残り起動回数推定部１１，電力量消費速度推定部１２，消費時間推定部１３，目標残存時間推定部１４，起動回数推定部１５及び制御部１６が設けられる。これらの各要素は、電子回路（ハードウェア）によって実現してもよく、あるいはソフトウェアとしてプログラミングされたものとしてもよいし、あるいはこれらの機能のうちの一部をハードウェアとして設け、他部をソフトウェアとしたものであってもよい。
【００２８】
残り起動回数推定部１１（推定手段）は、燃料電池３の許容起動回数の残余値（燃料電池の起動が許容される回数；燃料電池を使用しなくなるまでに起動させたい回数）に相当する残存起動回数NREMを推定するものである。残存起動回数NREMは、例えば式１に示すように、燃料電池３の起動回数と発電性能との関係に基づいて設定される生涯起動回数NLIFEから、実際に燃料電池３が起動した回数である累積起動回数NFCSTを減じた値とされる。ここで推定された残存起動回数NREMの値は、制御部１６に伝達される。
【００２９】
生涯起動回数NLIFEは、予め設定された固定値としてもよいし、図３に示すような発電性能特性に基づいて設定してもよい。例えば、新品時を基準とした発電性能の許容下限（例えば70％）に設定し、その許容下限に対応する起動回数を生涯起動回数NLIFEとする。なお、許容下限の値は、車両２０のユーザーが指定してもよい。また、累積起動回数NFCSTは、燃料電池３が停止状態から起動した回数であり、累積的に加算されるものとする。なお、アイドル状態からの復帰時には、累積起動回数NFCSTは加算されない。
【００３０】
【数１】
2014071996.tif 000003
【００３１】
電力量消費速度推定部１２（消費速度推定手段）は、燃料電池３の実際の使用状況から、車両２０の電力量消費速度ΔQ/dtの推定値を算出するものである。電力量消費速度ΔQ/dtは、車両２０が単位時間あたりに消費する二次電池２の電力量（エネルギー）に相当する。電力量消費速度算出部１２は、燃料電池３による二次電池２の充電中の所定時間T1を対象として、その期間内で消費された電力の積算値ΣWを所定時間T1で除した値を電力量消費速度ΔQ/dtとして算出する。ここで推定された電力量消費速度ΔQ/dtの値は、消費時間推定部１３に伝達される。
【００３２】
二次電池２の充電中にモーター４へと供給される電力は、燃料電池３の発電出力から二次電池２に充電された電力を減じたものに対応する。所定時間T1での燃料電池３の発電電力量をQFCGENとおき、二次電池２の充電電力量をQBCとおくと、電力量消費速度ΔQ/dtは以下の式２で与えられる。なお、式２中のkはコンバーター６やインバーター７での変換ロスに応じて予め設定される補正係数である。
【００３３】
【数２】
2014071996.tif 000004
【００３４】
消費時間推定部１３は、二次電池２に充電された電力で車両２０を駆動しうる時間の推定値を推定時間T2として算出するものである。この推定時間T2は、現在のペースで車両２０を使用したと仮定して、二次電池２の充電が必要となる（充電率SOCが下限充電率SOCMIN以下になる）までの時間を推定したものであり、二次電池２に充電されている総電力QB（充電電力の合計値）を電力量消費速度ΔQ/dtで除算して求められる。また、二次電池２の総電力QBは、例えば式３に示すように、二次電池２の上限充電率SOCMAXに対応する上限充電容量QBHIGHと下限充電率SOCMINに対応する下限充電容量QBLOWとの差として求められる。ただし、電力量消費速度ΔQ/dtが小さいほど、電力量消費速度ΔQ/dtに含まれる誤差の影響で推定時間T2の演算誤差が大きくなるため、演算後の推定時間T2に上限クリップ（例えば、数十時間）をかけることが好ましい。
【００３５】
【数３】
2014071996.tif 000005
【００３６】
また、消費時間推定部１３は、燃料電池３による前回の二次電池２の充電時間T3を実測する。充電時間T3は、二次電池２の充電率SOCが下限充電率SOCMINから上限充電率SOCMAXまで上昇するのにかかった時間である。なお、電力量消費速度推定部１２での演算に使用される所定時間T1が充電時間T3に一致するとき、上記の充電電力量QBCは総電力QBに一致する。ここで推定された推定時間T2の値と実測された充電時間T3の値は、起動回数推定部１５に伝達される。
【００３７】
目標残存時間推定部１４は、燃料電池３の許容起動時間の残余値（燃料電池の起動が許容される時間や年数；燃料電池を使用しなくなるまでの時間や年数）に相当する残存時間TREMを推定するものである。この残存時間TREMは、残り起動回数推定部１１での推定演算で使用される生涯起動回数NLIFEをどの程度の年数（時間）をかけて使用するのかを考慮して推定される時間であり、例えば燃料電池３の使用回数が生涯起動回数NLIFEになるまでの車両２０の所有年数（車両２０の使用時間）や、燃料電池３を交換するまでの年数（燃料電池３のメンテナンス時間）等に対応する。なお、前述の残存起動回数NREMとここで推定される残存時間TREMとの関係は必ずしも一定ではなく、車両２０の使い方や用途によって大きく変化する。そこで、本実施形態では残存時間TREMを残存起動回数NREMとは別個に推定する。
【００３８】
残存時間TREMは、車両２０の希望使用年数（ユーザーがこの車両２０に何年間乗り続けるつもりなのか）や燃料電池３の目標交換回数（ユーザーが燃料電池３を何年後に交換するつもりなのか）といった、車両２０の使い方，用途等に応じて設定される。目標残存時間推定部１４は、例えば式４に示すように、ユーザーが希望する車両２０（又は燃料電池３）の使用年数TLIFEから、車両２０の累計運転時間ΣTVEHICLEを減じたものを残存時間TREMとして算出する。ここで推定された残存時間TREMの値は、起動回数推定部１５に伝達される。
【００３９】
【数４】
2014071996.tif 000006
【００４０】
起動回数推定部１５（起動回数推定手段）は、消費時間推定部１３及び目標残存時間推定部１４で推定された推定時間T2，充電時間T3及び残存時間TREMに基づき、燃料電池３の推定起動回数NESTを演算するものである。推定起動回数NESTとは、現在のペースで車両２０を使用したと仮定したときに、燃料電池３が残存時間TREMの間に起動できる回数に相当する。ここでは、例えば式５に示すように、残存時間TREMを推定時間T2及び充電時間T3の加算値で除したものが推定起動回数NESTとして算出される。ここで推定された推定起動回数NESTの値は、制御部１６に伝達される。
【００４１】
【数５】
2014071996.tif 000007
【００４２】
制御部１６（制御手段）は、起動回数推定部１５で推定された推定起動回数NESTと残り起動回数推定部１１で推定された残存起動回数NREMとの比較結果に基づいて、燃料電池３の非発電状態での制御モードを制御する。すなわち、推定起動回数NESTが残存起動回数NREM以下の場合には、現在のペースで燃料電池３の起動及び停止を繰り返したとしても、残存起動回数NREMがゼロになるまでの時間が残存時間TREM以上になるものと判断し、燃料電池３の非発電状態での制御モードとして停止モードを選択する。この場合、燃料電池３が発電していなければ燃料供給が遮断され、停止状態に制御される。
【００４３】
一方、推定起動回数NESTが残存起動回数NREMを超える場合には、残存時間TREMが経過するまでの間に残存起動回数NREMがゼロになる可能性があると判断し、燃料電池３の制御モードとしてアイドルモードを選択する。この場合、燃料電池３が発電していなくても通電，燃料供給が継続され、アイドル状態とされる。
【００４４】
制御部１６による燃料電池３の非発電状態における制御モードの制御タイミングは、充電完了時又は充電完了後である。例えば、充電中又は充電完了時に上記の推定演算や判定を実施した場合には、充電が完了すると同時に燃料電池３をアイドル状態に制御することができる。また、充電完了後に上記の推定演算や判定を実施した場合には、判定結果が得られるまでの間はアイドル状態とし、判定結果が出た時点でアイドル状態，停止状態の何れか一方に制御すればよい。ここでの判定結果に基づく制御モードの制御は、少なくとも燃料電池３による二次電池２の次回の充電が開始されるまで継続されることが好ましい。
【００４５】
［４．作用］
図４（ａ），（ｂ）を使って、二次電池２の充電完了時に燃料電池３の制御モードの判定を実施する場合の演算手順を説明する。
時刻t1に二次電池２の充電率SOCが下限充電率SOCMINまで低下すると燃料電池３が起動し、燃料電池３の発電電力が二次電池２とモーター４とに供給される。このとき、残り起動回数推定部１１では累積起動回数NFCSTに１が加算されるとともに、生涯起動回数NLIFEから累積起動回数NFCSTが減算されて残存起動回数NREMが推定される。また、消費時間推定部１３では、充電時間T3の実測が開始される。さらに、目標残存時間推定部１４ではこの時点までの車両２０の累積運転時間ΣTVEHICLEが決定されるとともに、使用年数TLIFEから累積運転時間ΣTVEHICLEが減算されて残存時間TREMが演算される。
【００４６】
図４（ａ）に示すように、二次電池２に充電される電力量はモーター４の負荷に応じて変動するものの、その充電率SOCは時間経過とともに徐々に上昇する。充電中は、電力量消費速度推定部１２において単位時間あたりの燃料電池３の発電電力QFCGEN/dtと単位時間あたりの二次電池２の充電電力QBC/dtとが実測され、図示しないメモリーや記憶装置に記録される。
【００４７】
時刻t2に二次電池２の充電率SOCが上限充電率SOCMAX以上になると、燃料電池３の発電が停止する。このとき、電力量消費速度推定部１２では、充電が完了した時刻t2を基準として所定時間T1を隔てた過去の時刻t3が算出されるとともに、時刻t3から時刻t2までの間に二次電池２に充電された充電電力量QBCと、同期間に燃料電池３で発電された発電電力量QFCGENとが演算される。また、例えば上記の式２に基づき、所定時間T1での電力量消費速度ΔQ/dtが算出される。
【００４８】
消費時間推定部１３では、充電時間T3の計測が終了し、電力量消費速度ΔQ/dtで表される電力消費ペースで車両２０を走行させたときに二次電池２の電力が枯渇するまでの推定時間T2、すなわち、二次電池２の次回の充電予定時刻t4までの時間が算出される。なお、上限充電容量QBHIGH及び下限充電容量QBLOWは、上限充電率SOCMAX及び下限充電率SOCMINが定まれば、二次電池２の充放電特性から求めることができ、すなわち充電中に予め算出しておくことができる。
【００４９】
上記の演算で得られた残存時間TREM，推定時間T2及び充電時間T3に基づき、起動回数推定部１５では推定起動回数NESTが演算される。そして制御部１６において、推定起動回数NESTと残存起動回数NREMとが比較され、NEST＞NREMであるときには燃料電池３がアイドル状態に制御される。一方、NEST≦NREMであるときには燃料電池３が停止状態に制御される。
【００５０】
［５．効果］
（１）このように、上記の電力制御装置１では、残存起動回数NREMの推定値に基づいて、発電を停止した燃料電池３がアイドル状態か停止状態かに制御される。ここで、アイドル状態が選択された場合には、例えば燃料電池３に併設された関連補機類などの電源がオンの状態のままとされるため、僅かに二次電池２の電力が消費され続けることになる。しかしながら、アイドル状態を継続することで、燃料電池３の停止，再起動に伴って電極に高電位が発生することを防止することができ、例えばカーボン担体（カーボンブラック等）の腐食を抑制することができる。また、担体の状態が健全化されることから、金属触媒の粗大化も生じにくくなり、燃料電池３の劣化を効率的に抑制することができる。これにより、車両２０の使用年数TLIFEの間に燃料電池３の生涯起動回数NLIFEを確実に達成することができる。
【００５１】
一方、その時点で燃料電池３を停止したとしても、使用年数TLIFEの間に生涯起動回数NLIFEを確保することができるものと推定された場合には、燃料電池３が停止状態に制御される。これにより、アイドル状態と比較して電力消費を抑えることができ、車両２０の航続可能距離を延長することができる。
したがって、上記の電力制御装置１によれば、二次電池２のエネルギー消費量を削減しつつ、燃料電池３の劣化を抑制することができる。
【００５２】
（２）また、上記の電力制御装置１では、車両２０のモーター４で消費される電気エネルギーの減少速度の推定値である、電力量消費速度ΔQ/dtに基づいて燃料電池３が制御される。つまり、車両２０のエネルギー消費速度を考慮しながら、燃料電池３の非発電状態を制御することができ、燃料電池３の劣化を抑制する強度や頻度を実際の車両２０の運用状況に合わせることができる。例えば、急加速や急減速を避けた穏やかな運転を行うユーザーの車両２０においては、推定時間T2の推定値がやや大きくなりやすく、その分、推定起動回数NESTが小さく見積もられやすい。したがって、残存起動回数NREMが確保される限り、非発電状態の燃料電池３を停止状態にすることができ、電費を向上させることができる。
【００５３】
（３）また、上記の電力制御装置１では、二次電池２の充電時の充電電力量QBCと燃料電池３の発電電力量QFCGENとに基づいて電力量消費速度ΔQ/dtが推定される。これに基づき、充電完了時に非発電状態を制御することで、充電が完了した時点での燃料電池３の残存起動回数NREMや残存時間TREMを精度よく評価することができる。つまり、燃料電池３の発電が不要となった時点でただちに適切な非発電状態を選択することができ、停止状態が選択された場合にはエネルギー消費量を最小限に抑えることができる。
【００５４】
また、実際の充電制御における充電電力量QBCと発電電力量QFCGENとを用いることで、燃料電池３の発電効率が低下したような場合や、二次電池２の充電受入性が低下したような場合であっても、それらの影響を受けることなく、電力量消費速度ΔQ/dtを精度よく推定することができる。したがって、制御の信頼性を向上させることができる。
【００５５】
（４）また、上記の電力制御装置１では、推定起動回数NESTと残存起動回数NREMとの大小関係に基づいて燃料電池３が制御される。これにより、燃料電池３の劣化状態を定量的に評価することができ、制御性を向上させることができる。また、上記の制御により燃料電池３の残存起動回数NREMがほぼ確実に確保されることになり、ユーザーに対して燃料電池３の交換のタイミングを明確に報知することができ、ユーザビリティーを向上させることができる。
【００５６】
（５）さらに、上記の電力制御装置１では、アイドル状態，停止状態の何れかの状態が制御された後、その状態が次回の充電開始時まで継続される。したがって、アイドル状態が選択された場合には、確実に燃料電池３の残存起動回数NESTを維持することができるとともに、燃料電池３の劣化を防止することができる。また、停止状態が選択された場合にはエネルギー消費量を最小限に抑えることができ、電費を向上させることができる。
【００５７】
［６．変形例］
上述した実施形態に関わらず、それらの趣旨を逸脱しない範囲で種々変形して実施することができる。本実施形態の各構成は、必要に応じて取捨選択することができ、あるいは適宜組み合わせてもよい。
【００５８】
例えば、車両２０の駆動源としてエンジン及びモーター４を備えたハイブリッド車両に対して上記の電力制御装置１を適用することも可能である。少なくとも、モーター４の電力源として二次電池２を備え、さらにそれらの二次電池２を充電する燃料電池３を備えた車両２０であれば、上述の制御を実施することができる。
また、上述の実施形態では、モーター４に電力を供給する二次電池２及び燃料電池３を含むシステムを例示したが、電力の供給先はこれに限定されず、少なくとも電力で作動する電気機器であればよい。
【００５９】
また、上述の実施形態では、残り起動回数推定部１１において、累積起動回数NFCSTから残存起動回数NREMを推定するものを例示したが、累積起動回数NFCSTに加えて累積発電時間や燃料電池温度に基づいて残存起動回数NREMの推定値を補正する構成としてもよい。このような演算構成により、残存起動回数NREMの推定精度を向上させることができる。
また、上述の実施形態では、二次電池２の個数が一個の場合について詳述したが、二次電池２の個数は複数であってもよい。例えば、燃料電池３が複数の二次電池２のうちの何れかに対して充電を行ったときに上記の演算を実施し、充電の完了時に上記の非充電状態の選択を実施する。この場合、別の二次電池２に対して再び充電が実施されるときまで、その非充電状態を維持するような制御構成とすればよい。
【符号の説明】
【００６０】
１  電力制御装置
２  二次電池
３  燃料電池
４  モーター（電気機器）
５  燃料タンク
６  コンバーター
７  インバーター
８  車載充電器
９  制御回路
１０  電子制御装置
１１  残り起動回数推定部（推定手段）
１２  電力量消費速度推定部（消費速度推定手段）
１３  消費時間推定部
１４  目標残存時間推定部
１５  起動回数推定部（起動回数推定手段）
１６  制御部（制御手段）
２０  車両
【図１】
2014071996.tif 000008
【図２】
2014071996.tif 000009
【図３】
2014071996.tif 000010
【図４】
2014071996.tif 000011